(57)【要約】  【課題】  既存の便器に後付けすることができ、コンパクトで安価な、掃除が容易に行える男子専用小便器を備えた洋式便器または和式便器を提供すること。  【解決手段】  洋式便器１の便蓋３の裏側に小便器６の排出管６ｂを小便器支持部材５を介して軸方向の位置を調整可能に取り付けるとともに、ストッパ部材７により便蓋３の角度位置を調整可能に設ける。男子の小用時には、小便器６の小便受け６ａを小用に都合のよい位置に位置決めして小用を足すことができ、小便が飛び散ったりするのを防止することができる。また、小便受け６ａおよび排出管６ｂを取り外して容易に掃除することができ、小便受け６ａおよび排出管６ｂを新品のものと交換することもできる。【選択図】  図２
2006249803.tif 000002
【特許請求の範囲】
【請求項１】
便器の後部に開閉可能に設けられた便蓋を有する便座と、前記便蓋の裏側に取り付けられた小便器支持部材と、前記小便器支持部材に着脱可能に設けられて、上部の漏斗型の小便受けと前記小便受けの下部に連続する排出管とからなる小便器とを備えた洋式便器。
【請求項２】
前記小便器支持部材に前記小便器の軸方向の位置を固定する固定手段を備えたことを特徴とする請求項１記載の洋式便器。
【請求項３】
前記便蓋の回動角度を規制するストッパ手段を備えたことを特徴とする請求項１または請求項２記載の洋式便器。
【請求項４】
前記ストッパ手段が位置調整可能に設けられていることを特徴とする請求項３記載の洋式便器。
【請求項５】
金隠し部に着脱可能に取り付けられた小便器支持部材と、前記小便器支持部材に着脱可能かつ円周方向に回動可能に設けられて、上部の漏斗型の小便受けと前記小便受けの下部に連続する排出管とからなる小便器とを備えた和式便器。
【請求項６】
前記小便器支持部材に、前記小便器を軸方向に摺動可能に設けるとともに、前記小便器の軸方向の位置を固定する固定手段を備えたことを特徴とする請求項５記載の和式便器。
【請求項７】
金隠し部に着脱可能に取り付けられた小便器支持部材と、前記小便器支持部材に取り付けられて、上部の漏斗型の小便受けと前記小便受けの下部に連続する排出管とからなる小便器とを備え、前記小便器支持部材が屈曲自在であることを特徴とする和式便器。
【発明の詳細な説明】
【技術分野】
【０００１】
本発明は、大小兼用便器に男子専用小便器を付属させた洋式便器または和式便器に関するものである。
【背景技術】
【０００２】
従来の大小兼用の洋式便器において、男子が大用を足すときは便座に着座するが、小用を足すときは立位で行うため、小便により便器内の水が飛び跳ねて便器の外側へ飛び散ったりり、小便が便座に掛かったり、便座の外側へ飛び散ったりして、掃除の手間がかかるという問題があった。また、和式便器においても、男子が大用を足すときは便器に屈むが、小用を足すときは立位で行うため、小便が便器の外側へ飛び散って、掃除の手間がかかるという問題があった。このため、洋式便器の後部に男子専用の小便器を回動可能に設けたもの（例えば、特許文献１参照）、回転盤上に男子用小便器と洋式便器とを配し、回転盤を回転することにより便器を選択する複合型便器などが提案されている（例えば、特許文献２参照）。
【特許文献１】特開２００２−０６１２６３号公報
【特許文献２】特開２００４−１５６４１０号公報
【発明の開示】
【発明が解決しようとする課題】
【０００３】
しかしながら、従来の男子専用小便器を付属させた便器は、製品自体がそのような構造に製造され、既存の便器に後付けで取り付けることができないという問題があった。また、小便器を付属させた分だけ構造が大きくなり、価格が高くなるという問題があった。さらに、構造上、小便器の掃除が面倒であるという問題があった。
【０００４】
本発明は、このような従来の問題を解決するためになされたもので、既存の便器に後付けすることができ、コンパクトで安価な、掃除が容易に行える男子専用小便器を備えた洋式便器または和式便器を提供することを目的とする。
【課題を解決するための手段】
【０００５】
上記目的を達成するため、本発明の洋式便器は、便器の後部に開閉可能に設けられた便蓋を有する便座と、前記便蓋の裏側に取り付けられた小便器支持部材と、前記小便器支持部材に着脱可能に設けられて、上部の漏斗型の小便受けと前記小便受けの下部に連続する排出管とからなる小便器とを備えたものである。この構成により、予め小便器を便蓋の小便器支持部材に取り付けておき、男子が小用を足すときは、小便器の小便受けに向けて小用を足す。小便は小便器の排出管を通って便器内に流出する。小便器は、小便受けおよび排出管を取り外して掃除することができ、また、小便受けおよび排出管を新品のものと交換することができる。
【０００６】
また、本発明は、前記小便器支持部材に前記小便器の軸方向の位置を固定する固定手段を備えたことを特徴とする。この構成により、小便器を小便器支持部材に対して軸方向に移動させ、その位置を固定手段により固定することで、使用者の身長に合わせた小便器の高さを設定することができる。
【０００７】
また、本発明は、前記便蓋の回動角度を規制するストッパ手段を備えたことを特徴とする。この構成により、便蓋をストッパ手段に規制される位置まで前方に倒すことができ、小便器の位置が使用者側に近づくので、用足しが容易に行える利点がある。
【０００８】
また、本発明は、前記ストッパ手段が位置調整可能に設けられていることを特徴とする。この構成により、ストッパ手段により便蓋の角度を調整できるので、使用者の身長に合わせた小便器の高さおよび方向を設定することができる。
【０００９】
本発明はまた、金隠し部に着脱可能に取り付けられた小便器支持部材と、前記小便器支持部材に着脱可能かつ円周方向に回動可能に設けられて、上部の漏斗型の小便受けと前記小便受けの下部に連続する排出管とからなる小便器とを備えた和式便器である。この構成により、予め小便器を金隠しの小便器支持部材に取り付けておき、通常は小便器が邪魔にならないように小便器を後方に回動させておき、男子が小用を足すときは、小便器を前方に回動させて小用を足す。小便は小便器の排出管を通って便器内に流出する。小便器は、小便受けおよび排出管を取り外して掃除することができ、また、小便受けおよび排出管を新品のものと交換することができる。
【００１０】
また、本発明は、前記小便器支持部材に、前記小便器を軸方向に摺動可能に設けるとともに、前記小便器の軸方向の位置を固定する固定手段を備えたことを特徴とする。この構成により、小便器を小便器支持部材に対して軸方向に移動させ、その位置を固定手段により固定することで、使用者の身長に合わせた小便器の高さを設定することができる。
【００１１】
本発明はまた、金隠し部に着脱可能に取り付けられた小便器支持部材と、前記小便器支持部材に取り付けられて、上部の漏斗型の小便受けと前記小便受けの下部に連続する排出管とからなる小便器とを備え、前記小便器支持部材が屈曲自在であることを特徴とする和式便器である。この構成により、小便器を使用しないときは小便器を後方に退避させ、小便器を使用するときは、小便器を前方に引き出して位置を調整することで、使用者の身長に合わせた小便器の高さを設定することができる。小便器は、小便受けおよび排出管を取り外して掃除することができ、また、小便受けおよび排出管を新品のものと交換することができる。
【発明の効果】
【００１２】
本発明は、洋式便器または和式便器に小便器を着脱可能に設けたので、既存の便器に男子専用の小便器を後付けすることができ、コンパクトで安価な、掃除が容易に行える男子専用小便器を備えた洋式便器または和式便器を提供することができる。
【発明を実施するための最良の形態】
【００１３】
以下、本発明の実施の形態について、図面を用いて説明する。
（実施の形態１）
図１は本発明の第１の実施の形態を示している。図１において、洋式便器１は既成品であり、便座２と便蓋３と水洗タンク４とを備えている。便蓋３の裏側には、小便器支持部材５が接着剤またはビス止めにより固定されている。この小便器支持部材５は、図３に示すように、台板５ａの上に、先端部が開いた並行な２つのばねクランプ５ｂの基部を接着材により固定したものである。したがって、このばねクランプ５ｂは、クランプをしようとするもの、ここでは小便器６の排出管６ｂをばね圧により挟持するので、固定手段を兼ねている。小便器６は、上部の漏斗状の小便受け６ａの下部の排出口に排出管６ｂを接続したものであり、排出管６ｂの下部は便蓋３から便座２に向って延び、その先端部は便座２から下方に曲げられて洋式便器１内に向けられている。小便受け６ａは、軽量の合成樹脂で成形され、内部に撥水性および抗菌性のコーティングを施すことが好ましい。配水管６ｂは硬質の樹脂パイプであり、小便受け６ａと同様に、内部に撥水性および抗菌性のコーティングを施すことが好ましい。一方、便蓋３の下部左側には、ストッパ部材７が固定されている。ストッパ部材７は、裏蓋３に接着剤またはビス止めにより固定される磁石板７ａと、この磁石板７ａに磁気的に吸着されるストッパピン７ｂとかなり、ストッパピン７ｂの基部は金属製のスライダになっており、このスライダが磁石板７ａの溝に沿って移動可能になっている。なお、ストッパ部材７は、便蓋３でなく便座２側に設けても良い。
【００１４】
次に、本実施の形態１の洋式便器の使用方法について説明する。初めに、便蓋３の中央部に小便支持部材５を接着剤またはビス止めにより固定しておく。次に、小便器６の排出管６ｂを小便器支持部材５のばねクランプ５ｂに嵌め込み、便蓋３をストッパ部材８が便座２に当るまで前方に倒して、便受け６ａの位置が使用者にとって適切であるかどうかを調べる。位置が適切でない場合は、排出管６ｂを小便器支持部材５に対して軸方向に移動させたり、ストッパピン７ｂを磁石板７ａに対して移動させたりして、小便受け７ａの高さを適切に調節する。そして、洋式便器１を使用しないときは、図１のように、便蓋３を後方の水洗タンク４側に倒しておく。この状態では、排出管６ｂの一部が便座２の後部から洋式便器１の中に向けられているが、通常の使用状態では、便座２に着座しても使用者の臀部がこの位置までこないので、排出管６ｂの先端部が邪魔になることはない。男子が小用を足すときは、図２に示すように、便蓋３をストッパ部材８が便座２に当るまで前方に傾ける。これにより、小便受け６ａの位置が、その前方に立つ使用者側に近づくので、小用がしやすくなり、的外れがなく、小便が飛び散ったするのを防止することができる。小便は排出管６ｂから洋式便器１内に流出する。
【００１５】
なお、水洗タンク４の手洗いノズル４ａにホースを差し込んでおき、通常はそのホースを水洗タンク４上に丸めておき、男子の小用後は、そのホースの先端部を小便器６の小便受け６ａに位置させて、小便器６内を洗い流すようにしてもよい。または、水洗タンク４の上に容器を用意しておき、小用後は、その容器に手洗いノズル４ａからの水を満たして、小便器６内を洗い流すようにしてもよい。
【００１６】
このように、本発明の第１の実施の形態によれば、洋式便器１の便蓋３の裏側に小便器６の排出管６ｂを小便器支持部材５を介して軸方向の位置を調整可能に取り付けるとともに、ストッパ部材７により便蓋３の角度位置を調整可能に設けたので、小便器６の小便受け６ａを小用に都合のよい位置に位置決めして小用を足すことができ、小便が飛び散ったりするのを防止することができる。また、小便受け６ａおよび排出管６ｂを取り外して容易に掃除することができ、小便受け６ａおよび排出管６ｂを新品のものと交換することもできる。
【００１７】
なお、本実施の形態１において、小便器支持部材５の代わりに、図４に示すように、台板５０ａ上に上下方向の円筒部５０ｂを備えた小便器支持部材５０を使用することができる。円筒部５０ｂの穴５０ｃの内周面またはこの穴５０ｃに挿入される小便器６の排出管６ｂの外周面のいずれかに摩擦部を設けて、両者を摩擦係合させることにより、排出管６ｂを着脱可能かつ位置固定可能に支持することができる。勿論、他の形式の摩擦係合手段やねじ等の固定手段を用いてもよく、排出管６ｂに止め輪を装着し、止め輪の位置を調節することにより、軸方向の位置を調整してもよい。
【００１８】
また、本実施の形態１において、小便器６の排出管６ｂとして硬質の樹脂パイプを用いているが、これを軟質の樹脂パイプやゴムホースに代えることができる。この場合には、小便受け６ａが不安定にならないように、小便受け６ａを軸方向に移動可能に支持する必要がある。また、排出管６ｂを小便受け６ａから便蓋３の下部までを硬質の樹脂パイプとし、それ以後の部分を軟質樹脂パイプやゴムホースとすることもできる。この場合には、使用者の臀部が万一軟質樹脂パイプやゴムホースに触れても、使用者にそれほどの違和感を与えることがない。
【００１９】
（実施の形態２）
次に、本発明を和式便器に適用した第２の実施の形態について説明する。図５は本発明の第２の実施の形態を示している。和式便器１１の前方の金隠し部１２には、小便器支持部材であるクランプ１３を介して、小便器１４が着脱可能かつ円周方向に回動可能に設けられている。クランプ１３は、コ字形の台座部１３ａに２本の固定ねじ１３ｂを備え、台座部１３ａを貫通してスリーブ１３ｃを固定したものである。スリーブ１３ｃの内部には、小便器１４の排出管１４ｂが回動可能かつ軸方向摺動可能に挿通され、その下端部が台座部１３ａから下方に突出している。排出管１４ｂは、スリーブ１３ｃの側面に設けられた固定ねじ１３ｄにより軸方向の位置が固定される。図６に示すように、スリーブ１３ｃ内に挿入される排出管１４ｂの周囲には、位置決め用の複数本の円周方向の溝１４ｃが形成されており、固定ねじ１３ｄの先端部がその円周方向の溝１４ｃに入り込むことにより、円周方向に回動可能かつ軸方向の位置が固定される。固定ねじ１３ｄをさらに締め付けた状態では、円周方向の回動可能も固定される。排出管１４ｂの上端部は、漏斗状の小便受け１４ａの排出口に接続されている。小便受け１４ａは合成樹脂で成形され、内部に撥水性および抗菌性のコーティングを施すことが好ましく、配水管１４ｂは硬質の樹脂パイプが使用され、同様に内部に撥水性および抗菌性のコーティングを施すことが好ましい。
【００２０】
次に、本実施の形態２の和式便器の使用方法について説明する。初めに、クランプ１３の台座部１３ａを和式便器１１の金隠し部１２に挟んで、固定ねじ１３ｂにより固定する。この固定は万力と同じ構造で、固定ねじ１３の先端部に傾動可能な小円板が取り付けてあり、固定ねじ１３を締め付けることにより、小円板が金隠し部１２の曲面に倣うように傾動する。次に、小便器１４の排出管１４ｂをクランプ１３のスリーブ１３ｃの中に挿通して、小便受け１４ａの高さ位置を調整した後、固定ねじ１３ｄによりその高さ位置を固定する。小便器１４を使用しないときは、小便器１４を後方に回動させておく。男子が小用を足すときは、小便器１４を前方に回動させる。これにより、小便受け１４ａが前方に位置するので、小用がしやすくなり、的外れがなく、小便が飛び散ったするのを防止することができる。小便は排出管１４ｂから和式便器１１内に流出する。
【００２１】
このように、本発明の第２の実施の形態によれば、和式便器１１の金隠し部１２に、小便器１４の排出管１４ｂを軸方向および円周方向に移動可能に設けたので、小便器１４の小便受け１４ａを小用に都合のよい位置に位置決めして小用を足すことができ、小便が飛び散ったりするのを防止することができる。また、小便受け１４ａおよび排出管１４ｂを取り外して容易に掃除することができ、小便受け１４ａおよび排出管１４ｂを新品のものと交換することもできる。
【００２２】
（実施の形態３）
次に、本発明を和式便器に適用した第３の実施の形態について説明する。図７は本発明の第３の実施の形態を示している。和式便器２１の前方の金隠し部２２には、小便器支持部材であるクランプ２３および屈曲自在な折畳みリンク２４を介して、小便器２５が取り付けられている。クランプ２３は、コ字形の台座部２３ａに２本の固定ねじ２３ｂを備え、台座部２３ａを貫通して折畳みリンク２４を固定したものである。折畳みリンク２４は、クランプ２３の台座部２３ａから突出するように固定された第１リンク２４ａと、その上部に第１軸関節２４ｂを介して結合された第２リンク２４ｃと、その上部に第２軸関節２４ｄを介して結合された第３リンク２４ｅと、その上部に第３軸関節２４ｆを介して結合された第４リンク２４ｈとからなり、第４リンク２４ｈの先端部は、小便器２５の漏斗状の小便受け２５ａにブラケット２５ｃを介して固定されている。排出管２５ｂは、上端部を小便受け２５ａの排出口に接続され、３個のホースクランプ２６により第３リンク２４ｅおよび第２リンク２４ｃに沿うように係止され、下端部はクランプ２３の台座部２３ａを貫通して和式便器２１内に導かれている。小便受け２５ａは合成樹脂で成形され、内部に撥水性および抗菌性のコーティングを施すことが好ましく、配出管２５ｂは柔らかい樹脂パイプまたはゴムホースが使用され、同様に内部に撥水性および抗菌性のコーティングを施すことが好ましい。
【００２３】
次に、本実施の形態３の和式便器の使用方法について説明する。なお、小便器２５と、折畳みリンク２４と、排出管２５ｂと、クランプ２３とは、予めメーカーにより組み立てられているものとする。初めに、クランプ２３の台座部２３ａを和式便器２１の金隠し部２２に挟んで、固定ねじ２３ｂにより固定する。小便器２５を使用しないときは、折畳みリンク２４を各軸関節２４ｂ、２４ｄ、２４ｆにより後方に折り畳んで、小便器２５を後方に退避させておく。男子が小用を足すときは、折畳みリンク２４を介して小便器２５を前方に引き出す。これにより、小便受け２５ａが前方に位置するので、小用がしやすくなり、的外れがなく、小便が飛び散ったするのを防止することができる。小便は排出管２５ｂから和式便器２１内に流出する。
【００２４】
このように、本発明の第３の実施の形態によれば、和式便器２１の金隠し部２２に、小便器２５をクランプ２３および屈曲自在な小便器支持部材である折畳みリンク２４を介して取り付けたので、小便器２５の小便受け２５ａを小用に都合のよい位置に位置決めして小用を足すことができ、小便が飛び散ったりするのを防止することができる。また、小便受け２５ａおよび排出管２５ｂを取り外して容易に掃除することができ、小便受け２５ａおよび排出管２５ｂを新品のものと交換することもできる。
【００２５】
なお、本実施の形態３では、屈曲自在な小便器支持部材として折畳みリンク２４を用いたが、折畳みリンク２４の第１リンク２４ａをクランプ２３の台座部２３ａに回動可能に設けることにより、折畳みリンク２４および小便器２５を台座部２３ａに対して回動させることができる。また、屈曲自在な小便器支持部材として蛇腹状の軸を用いてもよく、さらに蛇腹状の管を用いて、その中に排出管２５ｂを通すようにしてもよい。
【図面の簡単な説明】
【００２６】
【図１】本発明の第１の実施の形態における小便器を使用しない状態の洋式便器の斜視図である。
【図２】本発明の第１の実施の形態における小便器を使用する状態の洋式便器の斜視図である。
【図３】本発明の第１の実施の形態における小便器支持部材の斜視図である。
【図４】本発明の第１の実施の形態における別の小便器支持部材の斜視図である。
【図５】本発明の第２の実施の形態における和式便器の斜視図である。
【図６】本発明の第２の実施の形態における小便器支持部材の部分斜視図である。
【図７】本発明の第３の実施の形態における和式便器の斜視図である。
【符号の説明】
【００２７】
１  洋式便器
２  便座
３  便蓋
４  水洗タンク
５  小便器支持部材
６  小便器
６ａ  小便受け
６ｂ  排出管
７  ストッパ部材
１１  和式便器
１２  金隠し部
１３  クランプ
１４  小便器
１４ａ  小便受け
１４ｂ  排出管
２１  和式便器
２２  金隠し部
２３  クランプ
２４  折畳みリンク
２５  小便器
２５ａ  小便受け
２５ｂ  排出管
２６  ホースクランプ
【図１】
2006249803.tif 000003
【図２】
2006249803.tif 000004
【図３】
2006249803.tif 000005
【図４】
2006249803.tif 000006
【図５】
2006249803.tif 000007
【図６】
2006249803.tif 000008
【図７】
2006249803.tif 000009